(57)【要約】【課題】パソコンの操作を必要とすることなく、デジタルカメラで撮影した多数の画像を低コストで管理する技術を提供することを目的とする。【解決手段】ユーザが、カード挿入口１３からフラッシュメモリカード３を挿入する。モニタ１２には、フラッシュメモリカード３に格納されている画像の一覧が表示され、ユーザによって選択された画像が、フラッシュメモリカード３からデジタル画像カード４にコピーされる。デジタル画像カード４は、データ消去ができない安価なメモリカードである。これにより、ユーザは、保存しておきたい画像を誤消去することを防止できる。また、高価なフラッシュメモリカード３を１枚用意して、デジタルカメラで撮影を行い、保存用メディアとして安価なデジタル画像カード４を所持するようにできる。【選択図】図２
2007158474.tif 000002
【特許請求の範囲】
【請求項１】
ユーザによって持ち込まれた複数回データ書込み可能な第１メモリカードがセットされることで、第２メモリカードを供給する装置であって、
デジタルカメラで撮影された画像が格納された前記第１メモリカードがセットされる第１スロットと、
記録されたデータの消去が不可能な前記第２メモリカードがセットされる第２スロットと、
前記第１メモリカードに格納されている画像を、前記第２メモリカードにコピーするコピー手段と、
前記第２メモリカードを前記装置の外部に搬送してユーザに提供する手段と、
を備えることを特徴とするデジタル画像カード作成装置。
【請求項２】
ユーザによって持ち込まれた複数回データ書込み可能な第１メモリカードがセットされることで、第２メモリカードを供給する装置であって、
デジタルカメラで撮影された画像が格納された前記第１メモリカードがセットされる第１スロットと、
前記装置のみによってデータが書込み可能な前記第２メモリカードがセットされる第２スロットと、
前記第１メモリカードに格納されている画像を、前記第２メモリカードにコピーするコピー手段と、
前記第２メモリカードを前記装置の外部に搬送してユーザに提供する手段と、
を備えることを特徴とするデジタル画像カード作成装置。
【請求項３】
請求項１または請求項２に記載のデジタル画像カード作成装置において、
前記コピー手段は、
前記第１メモリカードに格納されている複数の画像のうち、ユーザによって選択された画像のみを前記第２メモリカードにコピーする手段、
を含むことを特徴とするデジタル画像カード作成装置。
【請求項４】
請求項１ないし請求項３のいずれかに記載のデジタル画像カード作成装置において、さらに、
前記第１メモリカードに格納されている画像の全部あるいは選択された一部をデジタルプリント出力する手段、
を備えることを特徴とするデジタル画像カード作成装置。
【請求項５】
請求項１ないし請求項４のいずれかに記載のデジタル画像カード作成装置において、さらに、
前記第２メモリカードにコピーされた画像を所定の方法により描画再生するためのアプリケーションプログラムを、前記第２メモリカードに格納する手段、
を備えることを特徴とするデジタル画像カード作成装置。
【請求項６】
請求項１ないし請求項４のいずれかに記載のデジタル画像カード作成装置において、さらに、
前記第２メモリカードにコピーされた画像が所定の方法によって描画再生されるように、前記第２メモリカードにコピーする画像を加工する手段、
を備えることを特徴とするデジタル画像カード作成装置。
【請求項７】
請求項１ないし請求項６のいずれかに記載のデジタル画像カード作成装置において、さらに、
前記第２メモリカードに対して、前記装置が設置されている店舗のＩＤを記録する手段、
を備え、
前記店舗は、自店舗のＩＤが記録された前記第２メモリカードのユーザに対して、所定の優遇サービスを提供することを特徴とするデジタル画像カード作成装置。
【請求項８】
請求項１ないし請求項６のいずれかに記載のデジタル画像カード作成装置において、さらに、
前記第２メモリカードに対して、前記装置を用いたサービスを提供しているグループのＩＤを記録する手段、
を備え、
前記グループは、自グループのＩＤが記録された前記第２メモリカードのユーザに対して、所定の優遇サービスを提供することを特徴とするデジタル画像カード作成装置。
【請求項９】
請求項１ないし請求項８のいずれかに記載のデジタル画像カード作成装置において、さらに、
前記第２メモリカードのカード表面に、コピーされた画像の内容を示唆するシールを貼付する手段、
を備えることを特徴とするデジタル画像カード作成装置。
【請求項１０】
ユーザによって持ち込まれた複数回データ書込み可能な第１メモリカードが、カード作成装置のスロットにセットされる第１工程と、
前記第１メモリカードに格納されているデジタルカメラで撮影された画像が、記録されたデータの消去が不可能な第２メモリカードにコピーされる第２工程と、
前記第２メモリカードが前記カード作成装置の外部に搬送され、ユーザに提供される第３工程と、
を備えることを特徴とするデジタル画像カード作成方法。
【請求項１１】
ユーザによって持ち込まれた複数回データ書込み可能な第１メモリカードが、カード作成装置のスロットにセットされる第１工程と、
前記第１メモリカードに格納されているデジタルカメラで撮影された画像が、前記カード作成装置のみによってデータが書込み可能な第２メモリカードにコピーされる第２工程と、
前記第２メモリカードが前記カード作成装置の外部に搬送され、ユーザに提供される第３工程と、
を備えることを特徴とするデジタル画像カード作成方法。
【請求項１２】
請求項１０または請求項１１に記載のデジタル画像カード作成方法において、
前記第２工程は、
前記第１メモリカードに格納されている複数の画像のうちコピーする画像をユーザに選択させる工程と、
選択された画像のみを前記第２メモリカードにコピーする工程と、
を含むことを特徴とするデジタル画像カード作成方法。
【請求項１３】
請求項１０ないし請求項１２のいずれかに記載のデジタル画像カード作成方法において、さらに、
前記第１メモリカードに格納されている複数の画像のうちデジタルプリント出力する画像をユーザに選択させる工程と、
選択された画像のみをデジタルプリント出力する工程と、
を備えることを特徴とするデジタル画像カード作成方法。
【請求項１４】
請求項１０ないし請求項１３のいずれかに記載のデジタル画像カード作成方法において、さらに、
前記第２メモリカードにコピーされた画像を所定の方法により描画再生するためのアプリケーションプログラムを、前記第２メモリカードに格納する工程、
を備えることを特徴とするデジタル画像カード作成方法。
【請求項１５】
請求項１０ないし請求項１３のいずれかに記載のデジタル画像カード作成方法において、さらに、
前記第２メモリカードにコピーされた画像が所定の方法によって描画再生されるように、前記第２メモリカードにコピーする画像を加工する工程、
を備えることを特徴とするデジタル画像カード作成方法。
【請求項１６】
請求項１０ないし請求項１５のいずれかに記載のデジタル画像カード作成方法において、さらに、
前記第２メモリカードに対して、前記カード作成装置が設置されている店舗のＩＤを記録する工程と、
自店舗のＩＤが記録された前記第２メモリカードのユーザに対して、所定の優遇サービスを準備する工程と、
を備えることを特徴とするデジタル画像カード作成方法。
【請求項１７】
請求項１０ないし請求項１５のいずれかに記載のデジタル画像カード作成方法において、さらに、
前記第２メモリカードに対して、前記カード作成装置を用いたサービスを提供しているグループのＩＤを記録する工程と、
自グループのＩＤが記録された前記第２メモリカードのユーザに対して、所定の優遇サービスを準備する工程と、
を備えることを特徴とするデジタル画像カード作成方法。
【請求項１８】
請求項１０ないし請求項１７のいずれかに記載のデジタル画像カード作成方法において、さらに、
前記第２メモリカードのカード表面に、コピーされた画像の内容を示唆するシールを貼付する工程、
を備えることを特徴とするデジタル画像カード作成方法。
【発明の詳細な説明】
【技術分野】
【０００１】
本発明は、デジタル画像のメモリカードへの記録技術に関する。
【背景技術】
【０００２】
デジタルカメラで撮影した画像の記録メディアとして、フラッシュメモリカードが用いられている。フラッシュメモリカードは、データの書込み、消去を自由に行うことができるため、ユーザにとって、撮影のやり直しが利く点でメリットがある。
【０００３】
デジタルカメラにセットしているフラッシュメモリカードの容量がいっぱいになると、ユーザは新たな撮影を行うためカードの空き領域を作る必要がある。たとえば、フラッシュメモリカードに記録されている画像をパソコンのハードディスクに移動させたり、ＣＤ−ＲＯＭに移動させたりする必要がある。
【発明の開示】
【発明が解決しようとする課題】
【０００４】
上述したように、デジタルカメラは、フラッシュメモリカードを用いることで、何度も撮り直しが可能であり、デジタルカメラの大きなメリットとなっている。その反面、長い間、カード内に画像を格納しておくと、誤って必要な画像を消去してしまうという問題もある。
【０００５】
また、上述したように、容量がいっぱいになると、ハードディスクやＣＤ−ＲＯＭなどの他の媒体にデータを移動させる必要があるが、その操作を行うためには、パソコンが必要である。したがって、パソコンの操作に慣れていない人にとっては、非常に、負担の多い作業である。また、店舗にフラッシュメモリカードを持ち込むと、デジタルプリントを行ってくれるサービスが存在するため、そもそもパソコンを持たないデジタルカメラユーザもいる。これらユーザは、パソコンを用いてデータを退避させることができないため、あるいは、その習慣がないため、結果的には、高価なフラッシュメモリカードを何枚も所有しているという状況である。
【０００６】
そこで、本発明は前記問題点に鑑み、パソコンなどの端末の操作を必要とすることなく、デジタルカメラで撮影した多数の画像を低コストで管理する技術を提供することを目的とする。
【課題を解決するための手段】
【０００７】
上記課題を解決するため、請求項１記載の発明は、ユーザによって持ち込まれた複数回データ書込み可能な第１メモリカードがセットされることで、第２メモリカードを供給する装置であって、デジタルカメラで撮影された画像が格納された前記第１メモリカードがセットされる第１スロットと、記録されたデータの消去が不可能な前記第２メモリカードがセットされる第２スロットと、前記第１メモリカードに格納されている画像を、前記第２メモリカードにコピーするコピー手段と、前記第２メモリカードを前記装置の外部に搬送してユーザに提供する手段と、を備えることを特徴とする。
【０００８】
請求項２記載の発明は、ユーザによって持ち込まれた複数回データ書込み可能な第１メモリカードがセットされることで、第２メモリカードを供給する装置であって、デジタルカメラで撮影された画像が格納された前記第１メモリカードがセットされる第１スロットと、前記装置のみによってデータが書込み可能な前記第２メモリカードがセットされる第２スロットと、前記第１メモリカードに格納されている画像を、前記第２メモリカードにコピーするコピー手段と、前記第２メモリカードを前記装置の外部に搬送してユーザに提供する手段と、を備えることを特徴とする。
【０００９】
請求項１０記載の発明は、ユーザによって持ち込まれた複数回データ書込み可能な第１メモリカードが、カード作成装置のスロットにセットされる第１工程と、前記第１メモリカードに格納されているデジタルカメラで撮影された画像が、記録されたデータの消去が不可能な第２メモリカードにコピーされる第２工程と、前記第２メモリカードが前記カード作成装置の外部に搬送され、ユーザに提供される第３工程と、を備えることを特徴とする。
【００１０】
請求項１１記載の発明は、ユーザによって持ち込まれた複数回データ書込み可能な第１メモリカードが、カード作成装置のスロットにセットされる第１工程と、前記第１メモリカードに格納されているデジタルカメラで撮影された画像が、前記カード作成装置のみによってデータが書込み可能な第２メモリカードにコピーされる第２工程と、前記第２メモリカードが前記カード作成装置の外部に搬送され、ユーザに提供される第３工程と、を備えることを特徴とする。
【発明の効果】
【００１１】
本発明のデジタル画像カード作成装置によれば、複数回データ書込み可能な第１メモリカードに格納されている画像が、記録されたデータの消去が不可能な第２メモリカードにコピーされ、第２メモリカードが装置外部に搬送されてユーザに提供される。ユーザは、高価な第１メモリカードを一枚用意してデジタルカメラで撮影を行い、保存したい画像は、安価な第２メモリカードに保管することができる。
【００１２】
第１メモリカードは、複数回データ書込みが可能であるので、撮影操作を何度もやり直すことが可能である。逆に、第２メモリカードは、データの消去が不可能なメモリであるので、保存したい画像を誤って消去することはない。
【００１３】
さらに、パソコンを所有していないユーザや、パソコンの操作に慣れていないユーザであっても、本発明のデジタル画像カード作成装置を用いることで、デジタルカメラで利用しているメモリカードに記録された画像を、保存用のメモリカードに移すことが可能であり、デジタルカメラ用に高価なメモリカードを何枚も所持する必要がなくなる。
【００１４】
また、本発明のデジタル画像カード作成装置によれば、複数回データ書込み可能な第１メモリカードに格納されている画像が、デジタル画像カード作成装置のみによってデータ書込み可能な第２メモリカードにコピーされ、第２メモリカードが装置外部に搬送されてユーザに提供される。ユーザは、高価な第１メモリカードを一枚用意してデジタルカメラで撮影を行い、保存したい画像は、安価な第２メモリカードに保管することができる。
【００１５】
また、パソコンを所有していないユーザや、パソコンの操作に慣れていないユーザであっても、本発明のデジタル画像カード作成装置を用いることで、デジタルカメラで利用しているメモリカードに記録された画像を、保存用のメモリカードに移すことが可能であり、デジタルカメラ用に高価なメモリカードを何枚も所持する必要がなくなる。
【発明を実施するための最良の形態】
【００１６】
｛第１の実施の形態｝
以下、図面を参照しつつ本発明の実施の形態について説明する。図１は、本発明の実施の形態に係るデジタル画像カード作成装置１を用いたサービスイメージを示す図である。デジタル画像カード作成装置１は、たとえば写真プリント店、コンビニエンスストアなどの店舗Ｓ内に設置される。デジタル画像カード作成装置１は、図に示すように、装置上部に、操作部１１とモニタ１２を備えている。ユーザは、モニタ１２に表示されたユーザインタフェースを参照しながら、操作部１１を操作することによって、デジタル画像カード作成サービスを受けることができる。
【００１７】
ユーザは、所有しているデジタルカメラ２を用いて、様々な場所で被写体の撮影を行う。撮像された画像は、デジタルカメラ２に挿入されているフラッシュメモリカード３に格納される。次に、ユーザは、デジタル画像カード作成サービスを受けるため、フラッシュメモリカード３を持って店舗Ｓに訪れるのである。そして、フラッシュメモリカード３を、デジタル画像カード作成装置１の装置前面に設けられたカード挿入口１３に挿入する。
【００１８】
カード挿入口１３にフラッシュメモリカード３を挿入した状態で、ユーザが、操作部１１を操作して、デジタル画像カード作成のための操作を行う。これにより、装置前面に設けられたカード取出口１４からデジタル画像カード４が排出されるのである。ユーザは、このデジタル画像カード４を、たとえば携帯電話機５に挿入することで、携帯電話機５を用いて撮像画像を見ることができる。
【００１９】
ここで、デジタル画像カード４は、１度だけ、データの書込みが可能な半導体メモリである。また、一度書き込まれたデータを消去することのできないメモリである。この種のメモリとしては、ＯＴＰ（One Time Programmable）メモリと呼ばれるものがある。デジタル画像カード４は、データの複数回書き込みを保障するための機能が除かれることによって、安価なメモリとして供給されるものである。なお、デジタル画像カード４として、データの追記が可能なものを使用してもよい。つまり、一度書き込んだデータを消去することはできないが、空き領域が存在する場合には、データを追記することが可能なタイプのものであってもよい。
【００２０】
一方、デジタルカメラ２に挿入して使用するフラッシュメモリカード３は、データを複数回書込み可能な半導体メモリ、いわゆるＭＴＰ（Multi Time Programmable）メモリである。したがって、ユーザは、デジタルカメラ２で被写体を撮影した後、気に入らない画像は、どんどん消去して撮り直すことができるのである。
【００２１】
また、デジタル画像カード作成装置１は、フラッシュメモリカード３に格納されている画像をデジタルプリント出力する機能を備えている。デジタルプリントされたプリント紙６は、装置前面のプリント紙取出口１５に供給される。
【００２２】
次に、図２を参照しながら、デジタル画像カード作成装置１の構成および処理の内容について詳しく説明する。図１でも示したように、デジタル画像カード作成装置１は、装置の上部に操作部１１およびモニタ１２を備えるとともに、装置の前面に、カード挿入口１３、カード取出口１４、プリント紙取出口１５を備えている。操作部１１は、各種のボタンで構成され、ユーザが、デジタル画像カード作成装置１に各種の操作指示を行う際に用いられる。モニタ１２には、ユーザが持参したフラッシュメモリカード３に格納されている画像が一覧表示されたり、ユーザがサービスを受けるために必要な操作ガイドが表示されたりする。なお、モニタ１２をタッチパネル式ディスプレイで構成し、操作指示をタッチパネルでも行えるようにしてもよい。
【００２３】
デジタル画像カード作成装置１の内部には、カード挿入口１３から挿入されたフラッシュメモリカード３がセットされる第１カードスロット１０１と、デジタル画像カード４がセットされる第２カードスロット１０２が設けられている。デジタル画像カード作成装置１は、図示せぬカードストック部において多数のデジタル画像カード４を蓄積している。そして、ユーザが、デジタル画像カード４の作成サービスを受けるたびに、カードストック部に蓄積されている新しいデジタル画像カード４（つまり、未だ画像が格納されていないカード）が１枚ずつ第２カードスロット１０２に供給されるのである。
【００２４】
また、デジタル画像カード作成装置１は、デジタル画像カード搬送部１０３、画像コピー処理部１０４、描画用処理部１０５、ＩＤ記録処理部１０６、シール印刷処理部１０７、シール貼付部１０８、画像印刷処理部１０９、プリント紙搬送部１１０を備えている。
【００２５】
画像コピー処理部１０４は、フラッシュメモリカード３に格納されている複数の画像のうち、ユーザによって選択された画像をデジタル画像カード４にコピーする処理を実行する。この処理を行うために、画像コピー処理部１０４は、モニタ１２に、図３で示すようなユーザインタフェースを表示する。つまり、画像コピー処理部１０４は、フラッシュメモリカード３にアクセスし、フラッシュメモリカード３に格納されている画像のサムネイル画像をモニタ１２に一覧表示するのである。そして、一覧表示された画像に対して、ユーザがコピーする画像を選択する操作を行うと、画像コピー処理部１０４は、選択された画像を、第２カードスロット１０２にセットされているデジタル画像カード４にコピーするのである。
【００２６】
描画用処理部１０５は、デジタル画像カード４に格納された画像を閲覧するためのアプリケーションプログラムをデジタル画像カード４に格納する処理部である。上述したように、ユーザは、デジタル画像カード４に格納された画像を携帯電話機５等の端末で閲覧することができる。描画用処理部１０５は、それら端末でデジタル画像カード４に格納された画像を様々な態様で描画するためのアプリケーションプログラムを格納するのである。たとえば、アプリケーションプログラムとして、複数の画像を、順番に切替えてモニタに表示するプログラムが格納される。これにより、携帯電話機５を用いて、デジタル画像カード４に格納されている複数の画像をスライドショーのようにして閲覧することが可能である。
【００２７】
あるいは、描画用処理部１０５は、デジタル画像カード４に格納する画像を、様々な態様で描画可能なように加工する処理を行う。たとえば、デジタル画像カード４に格納する複数の画像を、静止画が順番に切り替わる１つの動画像に加工して格納するのである。これによっても、ユーザは、携帯電話機５を用いて、デジタル画像カード４に格納されている複数の画像をスライドショーのようにして閲覧することが可能である。
【００２８】
描画用処理部１０５は、デフォルト処理として、スライドショーを行うためのアプリケーションプログラムを格納するようにしてもよいし、格納する画像を動画像として加工してもよい。あるいは、どのような描画用プログラムを格納するか、どのように画像を加工するかについて、処理方法を選択するユーザインタフェースを用意し、ユーザに処理方法を選択させるようにしてもよい。
【００２９】
ＩＤ記録処理部１０６は、このデジタル画像カード作成装置１が設置されている店舗ＳにユニークなＩＤをデジタル画像カード４に記録する処理部である。図４に示すように、店舗Ｓでは、自店舗のＩＤが記録されているデジタル画像カード４を所有しているユーザに対しては、優遇サービスを提供するようにしている。
【００３０】
優遇サービスとしては、たとえば、割引サービス、デジタルプリントサービス、追記サービスなどが挙げられる。デジタル画像カード４を取得したユーザは、上述したように、携帯電話機５等を用いて、カードに格納されている画像を閲覧することができる。そして、そのデジタル画像カード４を作成した同じ店舗Ｓに、デジタル画像カード４を持って訪れることで、これらの優遇サービスを受けることができるのである。
【００３１】
デジタルプリントサービスとして、店舗Ｓは、店舗ＳのＩＤが記録されているデジタル画像カード４を持参したユーザに対してのみ、デジタルプリントを割引価格で受け付けるようにしてもよいし、あるいは、同じ店舗ＳのＩＤが記録されているカードを持参したユーザに対してのみ、デジタルプリントサービスを提供するようにしてもよい。また、追記サービスとしては、デジタル画像カード４が、追記可能なタイプのメモリである場合には、同じ店舗ＩＤが記録されているカードを持参したユーザに対してのみ、割引価格で追記サービスを提供してもよいし、あるいは、同じ店舗ＩＤが記録されているカードを持参したユーザに対してのみ、追記サービスを提供するようにしてもよい。
【００３２】
シール印刷処理部１０７は、デジタル画像カード４のカード表面に貼付するシール７に画像を印刷する処理部である。図５に示すように、デジタル画像カード４には、カードに記録された画像の内容を分かりやすくするために、記録された画像のうちのいずれかの画像の印刷されたシール７が貼付されるのである。印刷する画像は、ユーザが選択できるようにすればよい。たとえば、図３で示したユーザインタフェースにおいて、コピーする画像を選択するとともに、シールに印刷する画像も選択できるようにしておけばよい。
【００３３】
シール貼付部１０８は、画像が印刷されたシール７を、デジタル画像カード４に貼付する処理部である。デジタル画像カード作成装置１は、図示せぬシールストック部において多数のシール７を蓄積している。そのシールストック部から供給された（未だ、何も印刷されていない無地の）シール７に対して、シール印刷処理部１０７が、選択された画像の印刷処理を実行する。そして、シール貼付部１０８によって、画像の印刷されたシール７がデジタル画像カード４のカード表面に貼付されるのである。
【００３４】
デジタル画像カード搬送部１０３は、画像が記録され、シール７が貼付された状態のデジタル画像カード４を、第２カードスロット４からカード取出口１４へと搬送する機構部である。
【００３５】
画像印刷処理部１０９は、フラッシュメモリカード３に格納されている画像をデジタルプリントする処理部である。画像印刷処理部１０９は、デジタルプリントサービスを提供するために、図６に示すようなユーザインタフェースをモニタ１２に表示する。このユーザインタフェースには、フラッシュメモリカード３に格納されている画像がサムネイル画像として一覧表示されており、ユーザが、デジタルプリントを行う画像を選択できるようになっている。つまり、ユーザは、フラッシュメモリカード３に格納されている画像の全部あるいは一部を選択してデジタルプリントすることができるのである。ユーザによって、デジタルプリントを行う画像が選択されると、画像印刷処理部１０９は、プリント紙６に、選択された画像をデジタルプリントするのである。複数の画像が選択されている場合には、連続的に、複数のプリント紙６に対して複数の画像がデジタルプリントされる。デジタル画像カード作成装置１は、図示せぬプリント紙ストック部において、多数のプリント紙６を蓄積しており、このプリント紙ストック部から供給されたプリント紙６に対して、デジタルプリントが実行されるのである。
【００３６】
なお、ここでは、フラッシュメモリカード３に格納されている画像からデジタルプリントする画像をユーザに選択させるようにしたが、デジタル画像カード４にコピーした画像の中からデジタルプリントする画像を選択させるようにしてもよい。
【００３７】
プリント紙搬送部１１０は、画像がデジタルプリントされたプリント紙６を、プリント紙取出口１５へと搬送する機構部である。
【００３８】
以上の如く構成されたデジタル画像カード作成装置１が実行する処理の流れについて説明する。ユーザは、デジタルカメラ２を用いて被写体の撮影を行う。そして、フラッシュメモリカード３の空き容量が無くなった場合や、空き容量が減ってきた場合に、フラッシュメモリカード３を持って店舗Ｓに訪れる。
【００３９】
まず、ユーザは、フラッシュメモリカード３を、カード挿入口１３に挿入する。これに応答して、画像コピー処理部１０４が、図３で示したユーザインタフェースをモニタ１２に表示する（ステップＳ１）。具体的には、画像コピー処理部１０４は、フラッシュメモリカード３に格納されている画像を読み込み、サムネイル画像を生成して、モニタ１２に一覧表示するのである。そして、ユーザに対して、コピーしたい画像を選択するよう案内表示を行う。たとえば、図３で示したように、「コピーする画像を選択して下さい。」といったメッセージを表示するのである。
【００４０】
ユーザは、モニタ１２に表示された画像の中からコピーしたい画像を選択して後、ＯＫボタンを選択する。このとき、コピーしたい画像は同時に複数選択できるようにしておけばよい。また、同時に、カード表面に貼付するシールに印刷する画像が選択できるようにしておけばよい。つまり、ユーザは、フラッシュメモリカード３に格納されている複数の画像の中からコピーする画像を複数選択するとともに、カード表面に貼付するシールに印刷したい画像を１つ選択するのである。
【００４１】
ユーザにより選択操作が行われると、画像コピー処理部１０４は、選択された画像を第２カードスロット１０２にセットされているデジタル画像カード４にコピーする（ステップＳ２）。なお、この処理に先立って、カードストック部にストックされている新しいデジタル画像カード４が、第２カードスロット１０２にセットされている。
【００４２】
続いて、描画用処理部１０５によって、デジタル画像カード４に対して描画用のアプリケーションプログラムの記録処理が実行される。あるいは、描画用処理部１０５によって、デジタル画像カード４に格納される画像の加工処理が行われる（ステップＳ３）。つまり、上述したように、デジタル画像カード４に格納された画像を閲覧する際に、スライドショーなどを行うための処理が実行されるのである。
【００４３】
次に、ＩＤ記録処理部１０６により、店舗ＳのＩＤがデジタル画像カード４に記録される（ステップＳ４）。
【００４４】
続いて、シール印刷処理部１０７は、ユーザによって選択されたシール印刷用の画像をシール７に印刷する（ステップＳ５）。シール７に対する画像の印刷が終了すると、シール貼付部１０８が、画像の印刷されたシール７を、画像が記録されたデジタル画像カード４のカード表面に貼付する（ステップＳ６）。
【００４５】
このようにして、デジタル画像カード４に、選択された画像、描画用のアプリケーションプログラム、店舗ＳのＩＤが記録される。あるいは、選択された画像を描画用に加工した画像と店舗ＳのＩＤが記録される。さらに、選択された画像の印刷されたシール７が貼付される。このようにして、デジタル画像カード４が作成されると、デジタル画像カード搬送部１０３によって、デジタル画像カード４がカード取出口１４に搬送され、ユーザに供給されるのである（ステップＳ７）。
【００４６】
また、ステップＳ１〜Ｓ７の一連の処理の前後、あるいは、ステップＳ１〜Ｓ７の一連の処理の中で、図６で示したデジタルプリント用のユーザインタフェースを表示し、ユーザにデジタルプリントを実行する画像を選択させる。これにより、画像印刷処理部１０９により、プリント紙６への印刷が実行され、画像がデジタルプリントされたプリント紙６が、プリント紙取出口１５から供給されるのである。
【００４７】
このようにして、ユーザは、店舗Ｓに持参したフラッシュメモリカード３に格納されていた画像のうち、選択された画像が格納されたデジタル画像カード４を得ることができる。この後、ユーザは、フラッシュメモリカード３に格納されている画像を消去することで、再び、デジタルカメラ２を用いて撮影を行うことが可能である。そして、デジタル画像カード４は、上述したように、データの消去が不可能なメモリであり、安価なメモリである。したがって、高価なフラッシュメモリカード３を１枚保有することで、デジタルカメラ２を用いて何度も写真の撮り直しが可能であり、保存しておきたい画像だけを安価なデジタル画像カード４に格納して、デジタル画像カード４を保管するようにすればよいのである。
【００４８】
言い換えると、撮影用に、データの消去、書込みが自由に行える高価なメモリを１枚用意しておき、撮影画像の保管用に、データの消去ができない安価なメモリを使用するようにするのである。従来、撮影画像の保管用にＣＤ−ＲＯＭなどを利用していたが、ＣＤ−ＲＯＭなどに画像をコピーするためには、パソコンでの操作が必要であった。これに対して、本発明によれば、ユーザは、デジタルカメラ２に挿入されていたフラッシュメモリカード３を店舗Ｓに持参することで、簡単に、デジタル画像カード４の作成ができるので、パソコンを所有しないユーザや、パソコンの操作が苦手なユーザであっても、利便性の良いサービスである。また、ＣＤ−ＲＯＭでは、画像を閲覧するためにも、パソコンなどの端末が必要であるが、本発明であれば、携帯電話機５を用いて簡単に、デジタル画像カード４に格納された画像を閲覧することが可能であり、非常に利便性がよい。あるいは、最近のテレビやＤＶＤレコーダなどには、メモリカードスロットを備えたものがあるので、これらテレビなどを利用して簡単に画像を閲覧することが可能である。また、ＣＤ−ＲＯＭに比べて、半導体メモリカードであるデジタル画像カード４は、非常に、小さく、薄い媒体であるので、持ち運びに便利であり、また、多数のカードを所持することにも抵抗が少ない。
【００４９】
また、デジタル画像カード４は、データの消去ができないメモリであるので、保存しておきたい大切な画像を消去するという問題を解消できる。本来、フラッシュメモリカードは、データの消去、書込みが何回でもできるため、デジタルカメラで用いると、撮り直しが何度でもできるという点で大きなメリットである。しかし、その反面、保存しておきたい画像を誤消去してしまうという問題が存在していたが、撮影用には、撮り直しが何度でも利くフラッシュメモリカード３を使用し、保存メディアとして消去ができないデジタル画像カード４を使用するという方法で、両者のメリットをうまく利用しながら、全体として、コストが低くなるようなサービスとなっているのである。
【００５０】
また、デジタル画像カード４には、格納された画像を閲覧するためのユーティリティとして、描画アプリケーションプログラムが格納される。あるいは、デジタル画像カード４に格納される画像が描画方法に応じて加工される。したがって、ユーザが、携帯電話機５等を用いて画像を閲覧する場合にも、利便性がよい。たとえば、順に静止画が切り替わるスライドショーを楽しむことが可能である。
【００５１】
さらには、カード表面には、選択された画像が印刷されたシール７が貼付されている。したがって、ユーザは、多数のデジタル画像カード４を所持した場合にも、このシール７を見ることで、どのような画像が記録されているカードであるかを認識し易い。
【００５２】
このように、ユーザは、デジタル画像カード４を、画像が格納された安価なメモリとして所持することで、携帯電話機５等を用いて、好きなときに画像を閲覧することができる。そして、このデジタル画像カード４には、画像を書き込んだ店舗ＳのＩＤが記録されている。ユーザは、同じ店舗Ｓにデジタル画像カード４を持っていくことで、上述したように、優遇サービスを受けることが可能である。これにより、店舗Ｓは、顧客の囲い込みを行うことができる。このように、本発明のデジタル画像カード作成装置１を用いてサービスを行うことで、特に顧客管理を行うことなく、顧客ロイヤリティの向上を図ることができるのである。
【００５３】
なお、上記の実施の形態においては、ＩＤ記録処理部１０６は、店舗ＳのＩＤを記録するようにした。これにより、ユーザは、同じ店舗Ｓに訪れることで、優遇サービスを受けることが可能であるが、記録するＩＤをメーカーＩＤなどのグループＩＤとしてもよい。これにより、たとえば、ユーザは、画像を記録した店舗と同じ店舗ではなくても、同じメーカーから供給されているデジタル画像カード作成装置１が設置されている店舗であれば、優遇サービスを受けることが可能である。あるいは、フランチャイズチェーンの店舗であれば、そのグループで共通のＩＤを記録するようにしてもよい。そして、同じフランチャイズチェーンの店舗であれば、ユーザは、どの店舗においても優遇サービスが受けられるようにしてもよい。
【００５４】
また、上記の実施の形態においては、デジタル画像カード作成装置１が、カードストック部を備え、データが記録されていない多数のデジタル画像カード４をストックしておくこととした。この他の実施例として、ユーザが持参したデジタル画像カード４に画像をコピーするという形態でもよい。
【００５５】
｛第２の実施の形態｝
次に、本発明の第２の実施の形態について説明する。第２の実施の形態に係るデジタル画像カード作成装置１の構成は、図２に示したものと同様である。また、処理の流れも図７等で説明したものと同様である。異なる点は、デジタル画像カード４が、デジタル画像カード作成装置１のみによって書込み可能なメモリである点である。また、デジタル画像カード４は、第１の実施の形態と同様に、データの消去が不可能で１回のみデータ書込み可能なメモリである。つまり、上述したように、デジタル画像カード４は、データの複数回書込みを保障する機能が省略されることによって、安価なメモリとして構成することが可能であるが、さらに、データの書込み処理に必要な構成の一部をデジタル画像カード作成装置１側に持たせることによって、さらなる低コスト化を実現しているのである。
【００５６】
ただし、デジタル画像カード４は、データの消去が可能であり、また、データを複数回書込み可能なメモリ（いわゆるＭＴＰメモリ）であってもよい。この場合であっても、データの書込みは、デジタル画像カード作成装置１のみによって実行可能とすることで、デジタル画像カード４を安価に作成することが可能である。
【００５７】
また、デジタル画像カード４がデータ消去可能なタイプのメモリである場合には、デジタル画像カード４に記録されたデータは、デジタル画像カード作成装置１でのみ消去可能と構成してもよい。これにより、ユーザは、デジタルカメラやパソコン、携帯電話機などを用いてデジタル画像カード４に格納されている画像を誤消去する心配がない。
【００５８】
第２の実施の形態によっても同様に、ユーザは、高価なフラッシュメモリカード３を１枚所有して、デジタルカメラ２で撮影を行えばよい。そして、保存しておきたい必要な画像は、本実施の形態のデジタル画像カード作成装置１を用いて、安価なデジタル画像カード４にコピーするのである。これにより、パソコンを所有していないユーザや、パソコンの操作に慣れていないユーザであっても、高価なフラッシュメモリカード３を何枚も所有することなく、安価なデジタル画像カード４を作成して、画像を保管することが可能である。
【図面の簡単な説明】
【００５９】
【図１】デジタル画像カード作成装置を用いたサービスイメージを示す図である。
【図２】デジタル画像カード作成装置の機能ブロック図である。
【図３】デジタル画像のコピー操作用のユーザインタフェースを示す図である。
【図４】店舗ＩＤを利用したサービスイメージを示す図である。
【図５】記録された画像が印字されたシールが貼付された状態のデジタル画像カードを示す図である。
【図６】デジタルプリント操作用のユーザインタフェースを示す図である。
【図７】デジタル画像カードの作成処理の流れを示す図である。
【符号の説明】
【００６０】
１    デジタル画像カード作成装置
２    デジタルカメラ
３    フラッシュメモリカード
４    デジタル画像カード
５    携帯電話機
６    プリント紙
７    シール
１１  操作部
１２  モニタ
１３  カード挿入口
１４  カード取出口
１５  プリント紙取出口
【図１】
2007158474.tif 000003
【図２】
2007158474.tif 000004
【図３】
2007158474.tif 000005
【図４】
2007158474.tif 000006
【図５】
2007158474.tif 000007
【図６】
2007158474.tif 000008
【図７】
2007158474.tif 000009